(57)【要約】【課題】  簡易で軽量な枠部材を使用して鉄筋組立体を釣支移送する吊り枠体を形成すると共にその連結を、連結金具と吊り金具を兼用して枠部材の連結と釣支移送することでコストダウンを図ること。【解決手段】  鉄筋組立体を釣支移送する吊り金具において、枠部材を連結して吊り枠体を形成する吊り枠体連結金具と該吊り金具を兼用する連結吊り金具で、上下に板状体を配置する吊り金具本体の上側及び下側の略中央から釣支連結部を各突設すると共に上側及び下側の各板状体の間に枠部材を連結する該枠体連結部を複数設け、また吊り金具本体が側面略コの字状、又は枠部材の端部を上下から板状体で狭持する板状、又は支軸を有する釣支連結支軸体で、該連結吊り金具の上下で直接、該釣支連結部を介して鉄筋組立体を釣支移送するとしている。【選択図】図１
2014169181.tif 000002
【特許請求の範囲】
【請求項１】
複数の鉄筋を組み合わせて組み立てられる鉄筋組立体を、クレーン等で釣支移送する該釣支移送用の吊り金具であって、該鉄筋組立体を形状保持して釣支する枠体をバタ材等軽量の枠部材を連結して吊り枠体を形成すると共に該吊り枠体を釣支する吊り金具において、
該吊り金具に上記枠部材を該鉄筋組立体の外形に略対応する所定形状の該吊り枠体を連結保持する枠体連結部を複数設けて連結吊り金具とすると共に該連結吊り金具は、上下に板状体を配置する吊り金具本体とし、該吊り金具本体の上側及び下側の各板状体の略中央から釣支連結部をそれぞれ上下方向に各突設させると共に該上側と下側との間に、上記枠体連結部を設けるとしたことを特徴とする吊り枠体連結金具兼用連結吊り金具。
【請求項２】
吊り金具本体が、上下に板状体が配置される側面略コの字状で、該コの字状の開口する側に枠体連結部を設け、該枠体連結部に複数の枠部材を所定角度でボルトなど保持部材により連結保持する止め部をそれぞれ該上下板状体と枠部材の端部に相対して設けた請求項１に記載の吊り枠体連結金具兼用連結吊り金具。
【請求項３】
吊り金具本体が、枠部材の端部を上下から板状体で狭持する板状吊り金具本体で、該上下の板状体の間を枠体連結部とすると共に該枠体連結部に複数の枠部材を所定角度でボルトなど保持部材により連結保持する止め部をそれぞれ該上下板状体と枠部材の端部に相対して設けた請求項１に記載の吊り枠体連結金具兼用連結吊り金具。
【請求項４】
吊り金具本体が、支軸を有する釣支連結支軸体で、該釣支連結支軸体の上下端部近傍にそれぞれ釣支連結部を各設けると共に該釣支連結支軸体に複数の枠体連結部を回動可能に枢着し、該枠体連結部の他方端に枠部材を嵌入連結する枠体連結部を設けた請求項１に記載の吊り枠体連結金具兼用連結吊り金具。
【発明の詳細な説明】
【技術分野】
【０００１】  本発明は、橋梁などの基礎に使用する深礎杭の鉄筋組立体を、深礎杭内に釣支移送するための吊り枠体の連結金具と兼用する連結吊り金具に関する。
【背景技術】
【０００２】  従来、橋梁などを構築する基礎の深礎杭が構築され、該深礎杭は、まず地盤に深礎立坑を掘削した後、該深礎立坑内に所定の鉄筋組立体を一施工法としてブロック単位で移送構築している。【０００３】  その鉄筋組立体のブロック単位での釣支移送に関して、該鉄筋組立体の該ブロック単位は、高重量で深礎杭の規模に合わせて製作されるため現場対応となり、その重量は一例として約４トン程度の鉄筋組立体が組み立てられ、その高重量な鉄筋組立体を釣支移送する従来の吊り枠体としては、高過重対応材料のＨ型鋼材を使用して、該鉄筋組立体と略同径の円形の枠体を形成し、該円形状枠体に該鉄筋組立体を釣支すると共に該円形状枠体を介して直接クレーン等で釣支移送して構築施工している。【０００４】  また、該円形状枠体の製作は、深礎杭の直径に合わせて、該Ｈ鋼を円弧状に湾曲させたものをそれぞれ連結金具で所定数連結させて円形状枠体を形成し、該円形状枠体に設けられたフック等にワイヤー掛けして釣支移送している。【０００５】  しかして、構造物を吊り具で吊り込むための先行技術としては、構造物２に設けられた構造物吊り金具１を介して吊り込むとしたことが記載される「構造物吊り金具」がある。（例えば、特許文献１参照）【０００６】  また、鋼材に吊り下げる先行技術は、ワイヤー２０を介してクレーンフック２２に吊下げ支持された横鋼材１８に一端が固設された吊り金具１６に上鉄筋１２ａ〜１２ｅが個別に着脱可能にそれぞれ係止するとしたことが記載される「鉄筋の鉛直連結方法」がある。（例えば、特許文献２参照）【０００７】  さらに、吊り金具の先行技術は、突き合わせた状態で円柱状の孔を有する一対の保持具１１で、鉄筋３を挟んだ状態で拘束箱２に挿入して、該拘束箱２の吊り手２１に取り付けたワイヤーを介してクレーン等で拘束箱２を吊り上げるとしたことが記載される「鉄筋の吊り金具」がある。（例えば、特許文献３参照）
【先行技術文献】
【特許文献】
【０００８】
【特許文献１】特開平１０−２７３２８４号公報
【特許文献２】特開２００２−００４５８４号公報
【特許文献３】特開２００１−２８８８９７号公報
【発明の概要】
【発明が解決しようとする課題】
【０００９】  しかして、従来の一般的に使用される前記吊り枠体の円形状枠体は、該円形状枠体に直接、鉄筋組立体を釣支するので、前記鉄筋組立体の全荷重が該円形枠体に掛かるためその高荷重に対応する必要があり、よって高荷重対応のＨ型鋼材などを使用しており、またその円形枠体自体も高重量となり取り扱いが煩雑で、さらに各現場規模に対応してその都度、製作する必要からコストなどの課題もあり、コスト削減が可能で、且つ軽量で簡易な構成の吊り枠体で鉄筋組立体の釣支移送が可能なものが求められていた。【００１０】  また、該吊り枠体を形成するＨ型鋼材を円形枠体に形成するには、高度な曲げ技術が必要なため制作費が高価格となり、各現場規模に対応して製作するには、軽量で、簡易な構成とコストなどの課題解決が求められていた。【００１１】  しかして、先行技術で開示される特許文献１の「構造物吊り金具」は、構造物２の底壁２３に周状にループ鉄筋１１を設け、また各吊り鉄筋１２を周壁２１に底壁２３に対して略垂直状にそれぞれ埋設されて形成されているから構造物吊り金具１で直接、吊り上げることかできるが、埋設されず鉄筋のみの構造物では、構造物吊り金具１で直接、吊り上げることかできず、その吊り上げ構造の簡易化の解決が望まれていた。【００１２】  また、上述した特許文献２の「鉄筋の鉛直連結方法」の吊り金具は、横鋼材１８を介して、吊り金具１６により上鉄筋１２ａ〜１２ｅを個別に吊下げ支持していることから、上述した従来のＨ型鋼材を使用する実施例と同様の釣支移送に課題があり、軽量で吊り上げ構造の簡易化によるコスト低減できる吊り金具が求められていた。【００１３】  さらに、上述した特許文献３の「鉄筋の吊り金具」は、鉄筋３単体を吊り上げるもで、鉄筋組立体のように鉄筋を所定形状に組み立てられたものに対応する構成にはなく、そこで上述各先行技術を参照しても、鉄筋組立体の釣支移送を実現するにはコストの低減と、軽量で簡易な構成の釣支移送が可能とはならず、その解決が待たれていた。【００１４】  よって、このような従来の課題であるコスト低減と吊り上げ構造の簡易化を、吊り枠体連結金具兼用連結吊り金具の吊り金具を介して直接、鉄筋組立体を釣支すると共に吊り枠体で該鉄筋組立体の形状支持することで、その課題を解決し、軽量で簡易な構成の吊り枠体連結金具兼用連結吊り金具で釣支移送を可能とすることを目的とする。
【課題を解決するための手段】
【００１５】  本発明は、上記課題を有効に達成するために、第１の解決手段として、鉄筋組立体を釣支移送する連結吊り金具及び吊り枠体において、枠部材を連結して吊り枠体を形成する連結吊り金具であって、該連結吊り金具は、上下に板状体を配置する吊り金具本体と、該吊り金具本体の上側及び下側の各板状体の略中央から釣支連結部をそれぞれ上下方向に各突設し、該吊り金具本体の上側及び下側の各板状体の間に該枠体連結部を複数設けることで、
鉄筋組立体の外形に略対応する所定形状の吊り枠体に形成すると共に該連結吊り金具の釣支連結部を介して釣支すると共に該釣支連結部を介してクレーン等で釣支することで、該鉄筋組立体の重量を、直接吊り枠体に介さず、直接、該釣支連結部を介して該鉄筋組立体を釣支移送するとしている。【００１６】  また、第２の解決手段として、吊り金具本体が、上下に板状体が配置される側面略コの字状で、該コの字状の開口する側に枠体連結部を設け、該枠体連結部に複数の枠部材を所定角度で連結保持する止め部をそれぞれ該上下板状体と枠部材の端部に相対して設けることで、
鉄筋組立体の外形に略対応する所定形状の吊り枠体に形成すると共に該連結吊り金具の上下で直接、該釣支連結部を介して釣支移送するとしている。【００１７】  また、第３の解決手段として、吊り金具本体が、枠部材の端部を上下から板状体で狭持する板状吊り金具本体で、該上下の板状体の間を枠体連結部とすると共に該枠体連結部に複数の枠部材を所定角度で連結保持する止め部をそれぞれ該上下板状体と枠部材の端部に相対して設けたことで、
鉄筋組立体の外形に略対応する所定形状の吊り枠体に形成すると共に該連結吊り金具の上下で直接、該釣支連結部を介して釣支移送するとしている。【００１８】  さらに、第４の解決手段として、吊り金具本体が、支軸を有する釣支連結支軸体で、該釣支連結支軸体の上下端部近傍にそれぞれ釣支連結部を各設けると共に該釣支連結支軸体に複数の枠体連結部を回動可能に枢着し、該枠体連結部の他方端に枠部材を嵌入連結する枠体連結部を設けたことで、
鉄筋組立体の外形に略対応する所定形状の吊り枠体に形成すると共に該連結吊り金具の上下で直接、該釣支連結部を介して釣支移送するとしている。
【発明の効果】
【００１９】  本発明は、上述したそれぞれの解決手段によって有効な効果が得られたもので、特に、第１の解決手段の、複数の鉄筋を組み合わせて組み立てられる鉄筋組立体を、クレーン等で釣支移送する該釣支移送用の吊り金具であって、該鉄筋組立体を形状保持して釣支する枠体をバタ材等軽量の枠部材を連結して吊り枠体を形成すると共に該吊り枠体を釣支する吊り金具において、
該吊り金具に上記枠部材を該鉄筋組立体の外形に略対応する所定形状の該吊り枠体を連結保持する枠体連結部を複数設けて連結吊り金具とすると共に該連結吊り金具は、上下に板状体を配置する吊り金具本体とし、該吊り金具本体の上側及び下側の各板状体の略中央から釣支連結部をそれぞれ上下方向に各突設させると共に該上側と下側との間に、上記枠体連結部を設けているので、
吊り金具に直接、鉄筋組立体の重量を支持させて、吊り枠体には枠体の所定形状を保持させると共に鉄筋組立体の重量が直接掛からないように支持させることで、バタ材等軽量の枠部材を使用することができ、よって軽量で簡易な構成の吊り枠体を吊り金具で容易に組立形成できるので、前記従来と比較して資材及び組立作業効率からコスト削減になる。【００２０】  また、連結吊り金具により軽量で簡易な構成の吊り枠体を形成することから、吊り枠体の重量負荷が小さく、取り扱いが容易で該吊り枠体の組立が容易でコスト削減となり、また鉄筋組立体の釣支移送も容易となる。【００２１】  また、第２の解決手段の、吊り金具本体が、上下に板状体が配置される側面略コの字状で、該コの字状の開口する側に枠体連結部を設け、該枠体連結部に複数の枠部材を所定角度でボルトなど保持部材により連結保持する止め部をそれぞれ該上下板状体と枠部材の端部に相対して設けているので、
吊り枠体を形成するために、六角、八角形などのその各角部に吊り金具本体を設け、該吊り金具本体の枠体連結部から水平の周方向に、各深礎杭の直径に合った角度を付けて枠部材を連結することで、各現場の深礎杭の直径に適合させて容易に組立ができるので、前記従来と比較して資材及び組立作業効率からコスト削減になる。【００２２】  また、第３の解決手段の、吊り金具本体が、枠部材の端部を上下から板状体で狭持する板状吊り金具本体で、該上下の板状体の間を枠体連結部とすると共に該枠体連結部に複数の枠部材を所定角度でボルトなど保持部材により連結保持する止め部をそれぞれ該上下板状体と枠部材の端部に相対して設けているので、
吊り枠体を形成するために、六角、八角形などのその各角部に吊り金具本体を設け、該吊り金具本体の枠体連結部から水平の周方向に、各深礎杭の直径に合った角度を付けて枠部材を連結することで、各現場の深礎杭の直径に適合させて容易に組立ができるので、前記従来と比較して資材及び組立作業効率からコスト削減になる。【００２３】  また、第４の解決手段の、吊り金具本体が、支軸を有する釣支連結支軸体で、該釣支連結支軸体の上下端部近傍にそれぞれ釣支連結部を各設けると共に該釣支連結支軸体に複数の枠体連結部を回動可能に枢着し、該枠体連結部の他方端に枠部材を嵌入連結する枠体連結部を設けているので、
吊り枠体を形成するために、六角、八角形などのその各角部に吊り金具本体の上下釣支連結支軸を設け、該上下釣支連結支軸の枠体連結部から水平の周方向に、各深礎杭の直径に合った角度を付けて枠部材を連結すると共に角度調整の重度を増すことで、各現場の深礎杭の直径に、より適合させて容易に組立ができるので、前記従来と比較して資材及び組立作業効率からコスト削減になる。
よって、上述する各構成により本発明は、実用上著大な効果を奏する。
【図面の簡単な説明】
【００２４】
【図１】  本発明の第１実施例の斜視図である。
【図２】  本発明の第２実施例の平面図である。
【図３】  本発明の第２実施例の正面図である。
【図４】  本発明の第３実施例の斜視図である。
【図５】  本発明の第４実施例の正面図である。
【図６】  本発明の第４実施例の使用状態を示す平面図である。
【図７】  本発明の吊り枠体１３で鉄筋組立体１５を釣支移送する状態を示す平面図である。
【図８】  本発明の連結吊り金具１に移送治具体１４を釣支した状態を示す要部の正面図である。
【図９】  本発明の移送治具体１４に帯筋１７を支持した状態を示す要部の側面図である。
【図１０】  本発明の移送状態を示す要部の正面の部分断面図である。
【発明を実施するための形態】
【００２５】  第１の解決手段の、鉄筋組立体を釣支移送する連結吊り金具及び吊り枠体において、枠部材を連結して吊り枠体を形成する連結吊り金具であって、該連結吊り金具は、上下に板状体を配置する吊り金具本体と、該吊り金具本体の上側及び下側の各板状体の略中央から釣支連結部をそれぞれ上下方向に各突設し、該吊り金具本体の上側及び下側の各板状体の間に該枠体連結部を複数設け、
また、第２の解決手段の、吊り金具本体が上下に板状体が配置される側面略コの字状で、該コの字状の開口する側に枠体連結部を設け、該枠体連結部に複数の枠部材を所定角度で連結保持する止め部をそれぞれ該上下板状体と枠部材の端部に相対して設け、
さらに、第３の解決手段の、吊り金具本体が枠部材の端部を上下から板状体で狭持する板状吊り金具本体で、該上下の板状体の間を枠体連結部とすると共に該枠体連結部に複数の枠部材を所定角度で連結保持する止め部をそれぞれ該上下板状体と枠部材の端部に相対して設け、
加えて、第４の解決手段の、吊り金具本体が支軸を有する釣支連結支軸体で、該上下にそれぞれ釣支連結部を各設けると共に該釣支連結支軸体に複数の枠体連結部を回動可能に枢着し、該枠体連結部の他方端に枠部材を嵌入連結する枠体連結部を設けたことにより、
深礎杭の直径に適合させて容易に吊り枠体を組立製作ができる枠体連結部を連結吊り金具に設けることで、鉄筋組立体の釣支移送が容易となり、吊り枠体の資材及びその組立作業効率からコスト削減できると共に吊り枠体の重量負荷が小さく、取り扱いが容易となる吊り枠体連結金具兼用連結吊り金具を実現させた。
【実施例】
【００２６】  本発明の実施例を図面に基づいて説明すると、図１の第１実施例において、１は連結吊り金具で、該連結吊り金具１は、上下を板状体で形成する側面が略コの字状と、図示するように平面が略コーナ形状で形成された吊り金具本体２とし、該コの字状の該上面側の板状体に吊り部３と、底面側の板状体に釣支部４，４をそれぞれ突設している。【００２７】  また、上記吊り金具本体２の平面略コーナ辺側から該コの字状の左右それぞれの開口側方向に枠部材５，５を連結する枠体連結部６，６を設けると共に該枠体連結部６，６に枠部材５，５を連結保持できるように、後述するボルト７，７，…を挿通するボルト穴８，８，…を図１に示す該上下面の板状体を貫通するように開設している。【００２８】  なお、該吊り金具本体２の平面、略コーナ形状の角度は、略９０度として図示しているが、後述する吊り枠体として形成される各形状に対応して、四角形から八角形など多角形状に形成される吊り枠形状の内角に合わせて、それぞれ該コーナ形状の角度が決められ形成される。【００２９】  そして、該吊り金具本体２の上記吊り部３は、該吊り金具本体２の上面側の板状体に上方向に突出して設けると共にクレーン等で釣支移送するワイヤーを掛止する環状掛止部３ａを形成し、また該釣支部４，４は、該吊り金具本体２の底面側より垂下するように板状体を並設し、該板状体を釣支部４，４として設けると共に後述する移送治具体を釣支する係止穴４ａ，４ａをそれぞれ開設している。【００３０】  しかして、図２及び図３に示す第２実施例の連結吊り金具１ａは、上記第１実施例と略同様の上下を板状体で形成する側面が略コの字状で、相違において、図示するように平面が直線状で形成された吊り金具本体２ａとし、また上記第１実施例と略同様の吊り部３と、釣支部４，４をそれぞれ突設している。【００３１】  そして、該吊り金具本体２ａは、形成する吊り枠体の形状に対応して、四角形から八角形など多角形状に形成される吊り枠形状の、図２で示す内角ａに合わせて、上記開口側方向の左右それぞれの方向に枠部材５，５を連結する枠体連結部６，６を設けると共に該枠体連結部６，６に枠部材５，５を連結保持できるように、図３で示すボルト７，７，…を挿通するボルト穴８，８，…を該上下面の板状体を貫通するように、上記内角ａに合わせて開設している。【００３２】  なお、上記枠部材５は、一般市販材の角バタ材等で、上記吊り金具本体２の枠体連結部６，６に該枠部材５を連結保持するためのボルト穴８ａ，８ａ，…を該枠部材５の端部近傍に、上記吊り金具本体２のボルト穴８，８，…に対応して開設される。【００３３】  また、図４に示す第３実施例の連結吊り金具１ｂは、上記第１実施例と構成作用が略同様の平面が略コーナ形状で形成され、相違において、該第１実施例の連結吊り金具１の吊り金具本体２が略コの字状としたものを、上下にそれぞれ個別に配置する板状で、上記枠部材５の端部を上下から狭持する板状吊り金具本体２ｂとし、該板状吊り金具本体２ｂの上側に吊り部３と、底側の板状吊り金具本体２ｂに釣支部４，４をそれぞれ突設している。【００３４】  しかして、図５及び図６の第４実施例の連結吊り金具１ｃは、吊り金具本体２ｃを支軸体で形成し、上記第１実施例と同様の、環状掛止部３ａを有する吊り部３を該吊り金具本体２ｃの上部に設けると共に板状体で下向きのコの字状に形成した釣支部４を該吊り金具本体２ｂの下端に図示では螺着して設け、該釣支部４に釣支できる係止穴４ａ，４ａをそれぞれ開設している。【００３５】  また、該吊り部３と釣支部４の間の吊り金具本体２ｃを軸支すると共に該吊り金具本体２ｃに枠部材連結体９，９を回動自在に設け、該枠部材連結体９は、一方に前記の軸支する枢着部１０と、他方に枠体連結部６ａを設け、該枠体連結部６ａは、枠部材５に対応させて方形筒又は円筒形状に形成され、上記一般市販材の枠部材５の丸パイプ若しくは角バタ材等を嵌入連結する。【００３６】  なお、枠部材連結体９は、枠部材５に対応させた方形筒又は円筒形状としているが、棒状に変更して枠部材５を該棒状に外嵌するようにしても良いが図示は省略した。【００３７】  そして、上記枠体連結部６ａ，６ａに枠部材５，５を嵌入連結すると共に所定角度で連結保持された状態で、図６に示すように、双方の枠部材５，５の端部近傍に、棒状又はパイプ状の抜止め角度保持体１１を、連結クランプ１２，１２を介して保持固定させることで、上記第１から３実施例のように枠部材５，５を連結するときの固定用の穴を開設することなく保持固定できるので、後述する吊り枠体１３を組立形成するときに、該穴を開設することなく、吊り枠体１３に合わせて各枠部材５，５を切断して取り付けるだけで組立できるので加工が容易となる。
なお、該連結クランプ１２は、直交クランプ、自在クランプなどパイプなど連結するときに、多くの建築現場の足場等の連結組立で使用される一般市販品である。【００３８】  しかして、図７に示すように、第１実施例の連結吊り金具１の枠体連結部６，６に枠部材５，５，…をそれぞれ連結して、図示では八角形状の吊り枠体１３を形成し、そして図８に示すように、連結吊り金具１の下部の釣支部４，４に移送治具体１４を釣支し、また該移送治具体１４には、後述するように鉄筋組立体１５を係止支持している。【００３９】  そこで、上述した移送治具体１４は、図８及び図９に示すように、縦長の支持本体１６に帯筋１７，１７，…と同位置に支持金具１８，１８，…を回動可能に、図示ではそれぞれ六ヶ所枢着配置し、該支持金具１８は、図９に示すように、支持本体１６の前面側より後方に回動可能に突設させ、且つその突出部分の上部側に凹状の支持受け部１９を形成すると共に水平状態から後方へ反転可能に枢着し、また該支持金具１８に帯筋１７を保持する押さえ保持金具２０を回動可能に枢着している。【００４０】  また、鉄筋組立体１５は、図７に示すように、一例として略円弧状の帯筋１７，１７，…の両端にフック部１７ａ，１７ａ，…を形成したものを所定のラップ長で、該深礎立坑径に対応させた内外二重の環状に連結して形成すると共に上述の帯筋１７，１７，…と略同様、剪断補強筋２１，２１，…の両端にフック部２１ａ，２１ａ，…を形成したものを所定のラップ長で連結して、該環状に連結された外側の帯筋１７，１７，…に、該剪断補強筋２１，２１，…のフック部２１ａ，２１ａ，…を係止すると共に径方向に格子状に配筋して複数段、一例で示す図８では六段、各配置し、結束線等で、帯筋１７，１７，…および剪断補強筋２１，２１，…の交点を結束保持して組み立てられ、該鉄筋組立体１５の帯筋１７，１７，…を移送治具体１４の支持金具１８，１８，…で支持させて移送される。【００４１】  なお、図２から図６の第２、３、４実施例も、上記第１実施例と同様に、連結吊り金具１ａ，１ｂ，１ｃの下部の釣支部４，４に移送治具体１４を釣支し、該移送治具体１４の支持金具１８，１８，…で該鉄筋組立体１５を支持させて移送する。【００４２】  しかして、上述したように地上で組み立てられた鉄筋組立体１５を、図１０に示すようにクレーン２２で釣支移送するとき、該クレーン２２よりのフック２３及びワイヤー２４，２４，…を介して連結吊り金具１，１，…を釣支することで、該連結吊り金具１，１，…に釣支された移送治具体１４，１４，…を介して鉄筋組立体１５を深礎立坑２５内に釣支移送する。【００４３】  その移送のときの該鉄筋組立体１５の重量は、移送治具体１４，１４，…を介して連結吊り金具１，１，…からワイヤー２４，２４，…及びフック２３に掛かり、そのクレーン２２により吊り上げられることで、連結吊り金具１，１，…に連結される枠部材５により形成された吊り枠体１３には、該吊り枠体１３の形状を維持する力が作用し、直接、鉄筋組立体１５の重量が掛からないため、簡易で軽量な一般市販品の丸パイプ若しくは角バタ材等が使用可能となる。【００４４】  以上のように、鉄筋組立体１５を地上で組立、移送を���り返し、深礎立坑２５内に鉄筋組立体１５を積み上げ構築する。【００４５】  なお、本実施例で示す釣支移送用の吊り金具を、深礎杭基礎用の鉄筋組立体１５としているが、他の目的で組み立てられる鉄筋組立体の移送にも使用できるが、図示は省略した。
【産業上の利用可能性】
【００４６】  本発明は、橋梁及び送電線鉄塔などを構築するときの深礎杭基礎用に使用する鉄筋組立体の移送に使用する吊り枠体連結金具と兼用する連結吊り金具に利用することができる。
【符号の説明】
【００４７】  １、１ａ、１ｂ、１ｃ  連結吊り金具
２、２ｂ、２ｃ  吊り金具本体
２ａ  板状吊り金具本体
３  吊り部
４  釣支部
５  枠部材
６、６ａ  枠体連結部
８  ボルト止め部
９  枠部材連結体
１３  吊り枠体
１５  鉄筋組立体。
【図１】
2014169181.tif 000003
【図２】
2014169181.tif 000004
【図３】
2014169181.tif 000005
【図４】
2014169181.tif 000006
【図５】
2014169181.tif 000007
【図６】
2014169181.tif 000008
【図７】
2014169181.tif 000009
【図８】
2014169181.tif 000010
【図９】
2014169181.tif 000011
【図１０】
2014169181.tif 000012
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
鉄筋等により組み立てられた鉄筋組立体を、クレーン等で釣支移送する該釣支移送用の吊り枠体であって、該吊り枠体は鉄筋組立体が変形しないように、バタ材等軽量の枠部材を連結吊り金具により連結して、該鉄筋組立体の平面形状に略対応する所定形状の該吊り枠体を形成すると共に該吊り枠体を釣支する連結吊り金具において、
該連結吊り金具は、側面略コの字状など少なくとも上下に板状体を配置する吊り金具本体とし、該吊り金具本体の上側及び下側の各板状体の略中央からそれぞれ上下方向に釣支連結体として、吊り上げする吊り部と、垂下状に釣支する釣支部を各突設させると共に該上下各板状体との間で、且つ該釣支連結部を中心に、所定角度で持って水平方向に連結する複数の枠体連結部を設けたことを特徴とする吊り枠体連結金具兼用連結吊り金具。
【請求項２】
前記連結吊り金具が、軸体で形成した釣支連結支軸体で、該釣支連結支軸体の上下端部近傍にそれぞれ釣支連結体として、該上部側には、吊り上げする吊り部と、該下部側には、垂下状に釣支する釣支部を各設けると共に該釣支連結支軸体に設けられる吊り部と釣支部との間に、該釣支連結支軸体を基軸に複数の枠体連結部を回動可能に枢着し、該枠体連結部の他方端に枠部材を嵌入連結する枠体連結部を設けた請求項１記載の吊り枠体連結金具兼用連結吊り金具。
【手続補正２】
【補正対象書類名】明細書
【補正対象項目名】全文
【補正方法】変更
【補正の内容】
【発明の詳細な説明】
【技術分野】
【０００１】  本発明は、橋梁などの基礎に使用する深礎杭の鉄筋組立体を、深礎杭内に釣支移送するための吊り枠体の連結金具と兼用する連結吊り金具に関する。
【背景技術】
【０００２】  従来、橋梁などを構築する基礎の深礎杭が構築され、該深礎杭は、まず地盤に深礎立坑を掘削した後、該深礎立坑内に所定の鉄筋組立体を一施工法としてブロック単位で移送構築している。【０００３】  その鉄筋組立体のブロック単位での釣支移送に関して、該鉄筋組立体の該ブロック単位は、高重量で深礎杭の規模に合わせて製作されるため現場対応となり、その重量は一例として約４トン程度の鉄筋組立体が組み立てられ、その高重量な鉄筋組立体を釣支移送する従来の吊り枠体としては、高過重対応材料のＨ型鋼材を使用して、該鉄筋組立体と略同径の円形の枠体を形成し、該円形状枠体に該鉄筋組立体を釣支すると共に該円形状枠体を介して直接クレーン等で釣支移送して構築施工している。【０００４】  また、該円形状枠体の製作は、深礎杭の直径に合わせて、該Ｈ鋼を円弧状に湾曲させたものをそれぞれ連結金具で所定数連結させて円形状枠体を形成し、該円形状枠体に設けられたフック等にワイヤー掛けして釣支移送している。【０００５】  しかして、構造物を吊り具で吊り込むための先行技術としては、構造物２に設けられた構造物吊り金具１を介して吊り込むとしたことが記載される「構造物吊り金具」がある。（例えば、特許文献１参照）【０００６】  また、鋼材に吊り下げる先行技術は、ワイヤー２０を介してクレーンフック２２に吊下げ支持された横鋼材１８に一端が固設された吊り金具１６に上鉄筋１２ａ〜１２ｅが個別に着脱可能にそれぞれ係止するとしたことが記載される「鉄筋の鉛直連結方法」がある。（例えば、特許文献２参照）【０００７】  さらに、吊り金具の先行技術は、突き合わせた状態で円柱状の孔を有する一対の保持具１１で、鉄筋３を挟んだ状態で拘束箱２に挿入して、該拘束箱２の吊り手２１に取り付けたワイヤーを介してクレーン等で拘束箱２を吊り上げるとしたことが記載される「鉄筋の吊り金具」がある。（例えば、特許文献３参照）
【先行技術文献】
【特許文献】
【０００８】
【特許文献１】特開平１０−２７３２８４号公報
【特許文献２】特開２００２−００４５８４号公報
【特許文献３】特開２００１−２８８８９７号公報
【発明の概要】
【発明が解決しようとする課題】
【０００９】  しかして、従来の一般的に使用される前記吊り枠体の円形状枠体は、該円形状枠体に直接、鉄筋組立体を釣支するので、前記鉄筋組立体の全荷重が該円形枠体に掛かるためその高荷重に対応する必要があり、よって高荷重対応のＨ型鋼材などを使用しており、またその円形枠体自体も高重量となり取り扱いが煩雑で、さらに各現場規模に対応してその都度、製作する必要からコストなどの課題もあり、コスト削減が可能で、且つ軽量で簡易な構成の吊り枠体で鉄筋組立体の釣支移送が可能なものが求められていた。【００１０】  また、該吊り枠体を形成するＨ型鋼材を円形枠体に形成するには、高度な曲げ技術が必要なため制作費が高価格となり、各現場規模に対応して製作するには、軽量で、簡易な構成とコストなどの課題解決が求められていた。【００１１】  しかして、先行技術で開示される特許文献１の「構造物吊り金具」は、構造物２の底壁２３に周状にループ鉄筋１１を設け、また各吊り鉄筋１２を周壁２１に底壁２３に対して略垂直状にそれぞれ埋設されて形成されているから構造物吊り金具１で直接、吊り上げることかできるが、埋設されず鉄筋のみの構造物では、構造物吊り金具１で直接、吊り上げることかできず、その吊り上げ構造の簡易化の解決が望まれていた。【００１２】  また、上述した特許文献２の「鉄筋の鉛直連結方法」の吊り金具は、横鋼材１８を介して、吊り金具１６により上鉄筋１２ａ〜１２ｅを個別に吊下げ支持していることから、上述した従来のＨ型鋼材を使用する実施例と同様の釣支移送に課題があり、軽量で吊り上げ構造の簡易化によるコスト低減できる吊り金具が求められていた。【００１３】  さらに、上述した特許文献３の「鉄筋の吊り金具」は、鉄筋３単体を吊り上げるもで、鉄筋組立体のように鉄筋を所定形状に組み立てられたものに対応する構成にはなく、そこで上述各先行技術を参照しても、鉄筋組立体の釣支移送を実現するにはコストの低減と、軽量で簡易な構成の釣支移送が可能とはならず、その解決が待たれていた。【００１４】  よって、このような従来の課題であるコスト低減と吊り上げ構造の簡易化を、吊り枠体連結金具兼用連結吊り金具の吊り金具を介して直接、鉄筋組立体を釣支すると共に吊り枠体で該鉄筋組立体の形状支持することで、その課題を解決し、軽量で簡易な構成の吊り枠体連結金具兼用連結吊り金具で釣支移送を可能とすることを目的とする。
【課題を解決するための手段】
【００１５】  本発明は、上記課題を有効に達成するために、第１の解決手段として、鉄筋組立体を釣支移送する連結吊り金具及び吊り枠体において、枠部材を連結して吊り枠体を形成する連結吊り金具であって、該連結吊り金具は、側面略コの字状など少なくとも上下に板状体を配置する吊り金具本体と、該吊り金具本体の上側及び下側の各板状体の略中央から釣支連結体の吊り上げする吊り部と、垂下状に釣支する釣支部をそれぞれ上下方向に各突設し、該吊り金具本体の上側及び下側の各板状体との間で、且つ該釣支連結部を中心に、所定角度で持って水平方向に連結する複数の該枠体連結部を設けることで、
鉄筋組立体の外形に略対応する所定形状の吊り枠体に形成すると共に該連結吊り金具の釣支連結部を介して釣支すると共に該釣支連結部を介してクレーン等で釣支することで、該鉄筋組立体の重量を、直接吊り枠体に介さず、直接、該釣支連結体を介して該鉄筋組立体を釣支移送するとしている。【００１６】  また、第２の解決手段として、吊り金具本体が、支軸を有する釣支連結支軸体で、該釣支連結支軸体の上下端部近傍にそれぞれ釣支連結体の吊り部と、釣支部を各設けると共に該釣支連結支軸体に複数の枠体連結部を回動可能に枢着し、該枠体連結部の他方端に枠部材を嵌入連結する枠体連結部を設けたことで、
釣支連結支軸体を介して複数の枠体連結部を回動可能に枢着して、鉄筋組立体の外形に略対応する所定形状の吊り枠体に形成すると共に該釣支連結支軸体の上下で直接、該釣支連結体の吊り部と、釣支部を介して釣支移送するとしている。
【発明の効果】
【００１７】  本発明は、上述したそれぞれの解決手段によって有効な効果が得られたもので、特に、第１の解決手段の、鉄筋等により組み立てられた鉄筋組立体を、クレーン等で釣支移送する該釣支移送用の吊り枠体であって、該吊り枠体は鉄筋組立体が変形しないように、バタ材等軽量の枠部材を連結吊り金具により連結して、該鉄筋組立体の平面形状に略対応する所定形状の該吊り枠体を形成すると共に該吊り枠体を釣支する連結吊り金具において、
該連結吊り金具は、側面略コの字状など少なくとも上下に板状体を配置する吊り金具本体とし、該吊り金具本体の上側及び下側の各板状体の略中央からそれぞれ上下方向に釣支連結体として、吊り上げする吊り部と、垂下状に釣支する釣支部を各突設させると共に該上下各板状体との間で、且つ該釣支連結部を中心に、所定角度で持って水平方向に連結する複数の枠体連結部を設けているので、
吊り金具に直接、鉄筋組立体の重量を支持させて、吊り枠体には枠体の所定形状を保持させると共に鉄筋組立体の重量が直接掛からないように支持させることで、バタ材等軽量の枠部材を使用することができ、よって軽量で簡易な構成の吊り枠体を吊り金具で容易に組立形成できるので、前記従来と比較して資材及び組立作業効率からコスト削減になる。【００１８】  また、連結吊り金具により軽量で簡易な構成の吊り枠体を形成することから、吊り枠体の重量負荷が小さく、取り扱いが容易で該吊り枠体の組立が容易でコスト削減となり、また鉄筋組立体の釣支移送も容易となる。【００１９】  また、第２の解決手段の、前記連結吊り金具が、軸体で形成した釣支連結支軸体で、該釣支連結支軸体の上下端部近傍にそれぞれ釣支連結体として、該上部側には、吊り上げする吊り部と、該下部側には、垂下状に釣支する釣支部を各設けると共に該釣支連結支軸体に設けられる吊り部と釣支部との間に、該釣支連結支軸体を基軸に複数の枠体連結部を回動可能に枢着し、該枠体連結部の他方端に枠部材を嵌入連結する枠体連結部を設けているので、
吊り枠体を形成するために、六角、八角形などのその各角部に吊り金具本体の上下釣支連結支軸を設け、該上下釣支連結支軸の枠体連結部から水平の周方向に、各深礎杭の直径に合った角度を付けて枠部材を連結すると共に角度調整の重度を増すことで、各現場の深礎杭の直径に、より適合させて容易に組立ができるので、前記従来と比較して資材及び組立作業効率からコスト削減になる。
よって、上述する各構成により本発明は、実用上著大な効果を奏する。
【図面の簡単な説明】
【００２０】
【図１】  本発明の第１実施例の斜視図である。
【図２】  本発明の第２実施例の平面図である。
【図３】  本発明の第２実施例の正面図である。
【図４】  本発明の第３実施例の斜視図である。
【図５】  本発明の第４実施例の正面図である。
【図６】  本発明の第４実施例の使用状態を示す平面図である。
【図７】  本発明の吊り枠体１３で鉄筋組立体１５を釣支移送する状態を示す平面図である。
【図８】  本発明の連結吊り金具１に移送治具体１４を釣支した状態を示す要部の正面図である。
【図９】  本発明の移送治具体１４に帯筋１７を支持した状態を示す要部の側面図である。
【図１０】  本発明の移送状態を示す要部の正面の部分断面図である。
【発明を実施するための形態】
【００２１】  第１の解決手段の、鉄筋組立体を釣支移送する連結吊り金具及び吊り枠体において、枠部材を連結して吊り枠体を形成する連結吊り金具であって、該連結吊り金具は、側面略コの字状など少なくとも上下に板状体を配置する吊り金具本体と、該吊り金具本体の上側及び下側の各板状体の略中央から釣支連結体の吊り部と、釣支部をそれぞれ上下方向に各突設し、該吊り金具本体の上側及び下側の各板状体との間で、且つ該釣支連結部を中心に、所定角度で持って水平方向に連結する複数の該枠体連結部を設け、
また、第２の解決手段の、吊り金具本体が支軸を有する釣支連結支軸体で、該上下にそれぞれ釣支連結体の吊り部と、釣支部を各設けると共に該釣支連結支軸体に複数の枠体連結部を回動可能に枢着し、該枠体連結部の他方端に枠部材を嵌入連結する枠体連結部を設けたことにより、
深礎杭の直径に適合させて容易に吊り枠体を組立製作ができる枠体連結部を連結吊り金具に設けることで、鉄筋組立体の釣支移送が容易となり、吊り枠体の資材及びその組立作業効率からコスト削減できると共に吊り枠体の重量負荷が小さく、取り扱いが容易となる吊り枠体連結金具兼用連結吊り金具を実現させた。
【実施例】
【００２２】  本発明の実施例を図面に基づいて説明すると、図１の第１実施例において、１は連結吊り金具で、該連結吊り金具１は、上下を板状体で形成する側面が略コの字状と、図示するように平面が略コーナ形状で形成された吊り金具本体２とし、該コの字状の該上面側の板状体に吊り部３と、底面側の板状体に釣支部４，４をそれぞれ突設している。【００２３】  また、上記吊り金具本体２の平面略コーナ辺側から該コの字状の左右それぞれの開口側方向に枠部材５，５を連結する枠体連結部６，６を設けると共に該枠体連結部６，６に枠部材５，５を連結保持できるように、後述するボルト７，７，…を挿通するボルト穴８，８，…を図１に示す該上下面の板状体を貫通するように開設している。【００２４】  なお、該吊り金具本体２の平面、略コーナ形状の角度は、略９０度として図示しているが、後述する吊り枠体として形成される各形状に対応して、四角形から八角形など多角形状に形成される吊り枠形状の内角に合わせて、それぞれ該コーナ形状の角度が決められ形成される。【００２５】  そして、該吊り金具本体２の上記吊り部３は、該吊り金具本体２の上面側の板状体に上方向に突出して設けると共にクレーン等で釣支移送するワイヤーを掛止する環状掛止部３ａを形成し、また該釣支部４，４は、該吊り金具本体２の底面側より垂下するように板状体を並設し、該板状体を釣支部４，４として設けると共に後述する移送治具体を釣支する係止穴４ａ，４ａをそれぞれ開設している。【００２６】  しかして、図２及び図３に示す第２実施例の連結吊り金具１ａは、上記第１実施例と略同様の上下を板状体で形成する側面が略コの字状で、相違において、図示するように平面が直線状で形成された吊り金具本体２ａとし、また上記第１実施例と略同様の吊り部３と、釣支部４，４をそれぞれ突設している。【００２７】  そして、該吊り金具本体２ａは、形成する吊り枠体の形状に対応して、四角形から八角形など多角形状に形成される吊り枠形状の、図２で示す内角ａに合わせて、上記開口側方向の左右それぞれの方向に枠部材５，５を連結する枠体連結部６，６を設けると共に該枠体連結部６，６に枠部材５，５を連結保持できるように、図３で示すボルト７，７，…を挿通するボルト穴８，８，…を該上下面の板状体を貫通するように、上記内角ａに合わせて開設している。【００２８】  なお、上記枠部材５は、一般市販材の角バタ材等で、上記吊り金具本体２の枠体連結部６，６に該枠部材５を連結保持するためのボルト穴８ａ，８ａ，…を該枠部材５の端部近傍に、上記吊り金具本体２のボルト穴８，８，…に対応して開設される。【００２９】  また、図４に示す第３実施例の連結吊り金具１ｂは、上記第１実施例と構成作用が略同様の平面が略コーナ形状で形成され、相違において、該第１実施例の連結吊り金具１の吊り金具本体２が略コの字状としたものを、上下にそれぞれ個別に配置する板状で、上記枠部材５の端部を上下から狭持する板状吊り金具本体２ｂとし、該板状吊り金具本体２ｂの上側に吊り部３と、底側の板状吊り金具本体２ｂに釣支部４，４をそれぞれ突設している。【００３０】  しかして、図５及び図６の第４実施例の連結吊り金具１ｃは、吊り金具本体２ｃを支軸体で形成し、上記第１実施例と同様の、環状掛止部３ａを有する吊り部３を該吊り金具本体２ｃの上部に設けると共に板状体で下向きのコの字状に形成した釣支部４を該吊り金具本体２ｂの下端に図示では螺着して設け、該釣支部４に釣支できる係止穴４ａ，４ａをそれぞれ開設している。【００３１】  また、該吊り部３と釣支部４の間の吊り金具本体２ｃを軸支すると共に該吊り金具本体２ｃに枠部材連結体９，９を回動自在に設け、該枠部材連結体９は、一方に前記の軸支する枢着部１０と、他方に枠体連結部６ａを設け、該枠体連結部６ａは、枠部材５に対応させて方形筒又は円筒形状に形成され、上記一般市販材の枠部材５の丸パイプ若しくは角バタ材等を嵌入連結する。【００３２】  なお、枠部材連結体９は、枠部材５に対応させた方形筒又は円筒形状としているが、棒状に変更して枠部材５を該棒状に外嵌するようにしても良いが図示は省略した。【００３３】  そして、上記枠体連結部６ａ，６ａに枠部材５，５を嵌入連結すると共に所定角度で連結保持された状態で、図６に示すように、双方の枠部材５，５の端部近傍に、棒状又はパイプ状の抜止め角度保持体１１を、連結クランプ１２，１２を介して保持固定させることで、上記第１から３実施例のように枠部材５，５を連結するときの固定用の穴を開設することなく保持固定できるので、後述する吊り枠体１３を組立形成するときに、該穴を開設することなく、吊り枠体１３に合わせて各枠部材５，５を切断して取り付けるだけで組立できるので加工が容易となる。
なお、該連結クランプ１２は、直交クランプ、自在クランプなどパイプなど連結するときに、多くの建築現場の足場等の連結組立で使用される一般市販品である。【００３４】  しかして、図７に示すように、第１実施例の連結吊り金具１の枠体連結部６，６に枠部材５，５，…をそれぞれ連結して、図示では八角形状の吊り枠体１３を形成し、そして図８に示すように、連結吊り金具１の下部の釣支部４，４に移送治具体１４を釣支し、また該移送治具体１４には、後述するように鉄筋組立体１５を係止支持している。【００３５】  そこで、上述した移送治具体１４は、図８及び図９に示すように、縦長の支持本体１６に帯筋１７，１７，…と同位置に支持金具１８，１８，…を回動可能に、図示ではそれぞれ六ヶ所枢着配置し、該支持金具１８は、図９に示すように、支持本体１６の前面側より後方に回動可能に突設させ、且つその突出部分の上部側に凹状の支持受け部１９を形成すると共に水平状態から後方へ反転可能に枢着し、また該支持金具１８に帯筋１７を保持する押さえ保持金具２０を回動可能に枢着している。【００３６】  また、鉄筋組立体１５は、図７に示すように、一例として略円弧状の帯筋１７，１７，…の両端にフック部１７ａ，１７ａ，…を形成したものを所定のラップ長で、該深礎立坑径に対応させた内外二重の環状に連結して形成すると共に上述の帯筋１７，１７，…と略同様、剪断補強筋２１，２１，…の両端にフック部２１ａ，２１ａ，…を形成したものを所定のラップ長で連結して、該環状に連結された外側の帯筋１７，１７，…に、該剪断補強筋２１，２１，…のフック部２１ａ，２１ａ，…を係止すると共に径方向に格子状に配筋して複数段、一例で示す図８では六段、各配置し、結束線等で、帯筋１７，１７，…および剪断補強筋２１，２１，…の交点を結束保持して組み立てられ、該鉄筋組立体１５の帯筋１７，１７，…を移送治具体１４の支持金具１８，１８，…で支持させて移送される。【００３７】  なお、図２から図６の第２、３、４実施例も、上記第１実施例と同様に、連結吊り金具１ａ，１ｂ，１ｃの下部の釣支部４，４に移送治具体１４を釣支し、該移送治具体１４の支持金具１８，１８，…で該鉄筋組立体１５を支持させて移送する。【００３８】  しかして、上述したように地上で組み立てられた鉄筋組立体１５を、図１０に示すようにクレーン２２で釣支移送するとき、フック２３及びワイヤー２４，２４，…を介して連結吊り金具１，１，…を釣支することで、該連結吊り金具１，１，…に釣支された移送治具体１４，１４，…を介して鉄筋組立体１５を深礎立坑２５内に釣支移送する。【００３９】  その移送のときの該鉄筋組立体１５の重量は、移送治具体１４，１４，…を介して連結吊り金具１，１，…からワイヤー２４，２４，…及びフック２３に掛かり、そのクレーン２２により吊り上げられることで、連結吊り金具１，１，…に連結される枠部材５により形成された吊り枠体１３には、該吊り枠体１３の形状を維持する力が作用し、直接、鉄筋組立体１５の重量が掛からないため、簡易で軽量な一般市販品の丸パイプ若しくは角バタ材等が使用可能となる。【００４０】  以上のように、鉄筋組立体１５を地上で組立、移送を繰り返し、深礎立坑２���内に鉄筋組立体１５を積み上げ構築する。【００４１】  なお、本実施例で示す釣支移送用の吊り金具を、深礎杭基礎用の鉄筋組立体１５としているが、他の目的で組み立てられる鉄筋組立体の移送にも使用できるが、図示は省略した。
【産業上の利用可能性】
【００４２】  本発明は、橋梁及び送電線鉄塔などを構築するときの深礎杭基礎用に使用する鉄筋組立体の移送に使用する吊り枠体連結金具と兼用する連結吊り金具に利用することができる。
【符号の説明】
【００４３】  １、１ａ、１ｂ、１ｃ  連結吊り金具
２、２ｂ、２ｃ  吊り金具本体
２ａ  板状吊り金具本体
３  吊り部
４  釣支部
５  枠部材
６、６ａ  枠体連結部
８  ボルト止め部
９  枠部材連結体
１３  吊り枠体
１５  鉄筋組立体。
【手続補正書】
【提出日】平成25年9月25日(2013.9.25)
【手続補正１】
【補正対象書類名】特許請求の範囲
【補正対象項目名】全文
【補正方法】変更
【補正の内容】
【特許請求の範囲】
【請求項１】
複数の鉄筋を組み合わせて組み立てられる鉄筋組立体を、クレーン等で釣支移送する該釣支移送用の吊り金具であって、バタ材等軽量の枠部材を該吊り金具に連結して吊り枠体を形成すると共に該吊り金具に移送治具体を介して該鉄筋組立体を形状保持して釣支する吊り金具において、
上記枠部材を該鉄筋組立体の外形に略対応する所定形状の該吊り枠体に連結保持させる枠体連結部を複数設けた連結吊り金具とし、該連結吊り金具は、その上下に板状体を配置する吊り金具本体を有し、該吊り金具本体の上側及び下側の各板状体の略中央に該吊り上げする吊り部と、該下側に移送治具体を垂下状に釣支する釣支部をそれぞれ上下方向に各突設させ、該上下の板状体の間で枠部材を所定角度でボルトなど保持部材により連結保持する止め部をそれぞれ該上下の板状体と枠部材の端部に相対して設けると共に該上下の板状体の間を枠体連結部として設けたことを特徴とする吊り枠体連結金具兼用連結吊り金具。
【請求項２】
前記連結吊り金具の吊り金具本体が、軸体で形成した軸状吊り金具本体とし、該軸状吊り金具本体の上下端部近傍に上記吊り部と、釣支部を各設けると共に該吊り部と釣支部との間の該軸状吊り金具本体を基軸に複数の枠体連結部の一方端側を回動可能に枢着すると共にその他方端側に枠部材を嵌入連結する枠体連結部を設けた請求項１記載の吊り枠体連結金具兼用連結吊り金具。
【手続補正２】
【補正対象書類名】明細書
【補正対象項目名】００１５
【補正方法】変更
【補正の内容】
【００１５】  本発明は、上記課題を有効に達成するために、第１の解決手段として、鉄筋組立体を釣支移送する吊り枠体及び連結吊り金具において、枠部材を連結して吊り枠体を形成する連結吊り金具で、該連結吊り金具は、上下に板状体を配置する吊り金具本体を有し、該吊り金具本体の上側及び下側の各板状体の略中央に吊り上げする吊り部と、垂下状に釣支する釣支部をそれぞれ上下方向に各突設し、該吊り金具本体の上側及び下側の板状体との間に枠部材を所定角度で連結保持する複数の該枠体連結部を設けることで、
鉄筋組立体の外形に略対応する所定形状の吊り枠体に形成すると共に該連結吊り金具の吊り金具本体の吊り部を介してクレーン等で釣支すると共に該吊り金具本体の釣支部で移送治具体を介して鉄筋組立体を釣支することで、該鉄筋組立体の重量を吊り枠体に直接介すること無く、釣支移送するとしている。
【手続補正３】
【補正対象書類名】明細書
【補正対象項目名】００１６
【補正方法】変更
【補正の内容】
【００１６】  また、第２の解決手段として、上記吊り金具本体が、軸体で形成した軸状吊り金具本体で、該軸状吊り金具本体の上下端部近傍にそれぞれ吊り部と、釣支部を各設けると共に該軸状吊り金具本体に複数の枠体連結部の一方端側を回動可能に枢着し、他方端に枠部材を嵌入連結する枠体連結部を設けたことで、
軸状吊り金具本体を介して複数の枠体連結部を回動可能に枢着することで、鉄筋組立体の外形に略対応する所定形状の吊り枠体に形成すると共に該軸状吊り金具本体の上下に設ける吊り部と、釣支部を介して直接、釣支移送するとしている。
【手続補正４】
【補正対象書類名】明細書
【補正対象項目名】００１７
【補正方法】変更
【補正の内容】
【００１７】  本発明は、上述したそれぞれの解決手段によって有効な効果が得られたもので、特に、第１の解決手段の、複数の鉄筋を組み合わせて組み立てられる鉄筋組立体を、クレーン等で釣支移送する該釣支移送用の吊り金具であって、バタ材等軽量の枠部材を該吊り金具に連結して吊り枠体を形成すると共に該吊り金具に移送治具体を介して該鉄筋組立体を形状保持して釣支する吊り金具において、
上記枠部材を該鉄筋組立体の外形に略対応する所定形状の該吊り枠体に連結保持させる枠体連結部を複数設けた連結吊り金具とし、該連結吊り金具は、その上下に板状体を配置する吊り金具本体を有し、該吊り金具本体の上側及び下側の各板状体の略中央に該吊り上げする吊り部と、該下側に移送治具体を垂下状に釣支する釣支部をそれぞれ上下方向に各突設させ、該上下の板状体の間で枠部材を所定角度でボルトなど保持部材により連結保持する止め部をそれぞれ該上下の板状体と枠部材の端部に相対して設けると共に該上下の板状体の間を枠体連結部として設けているので、
吊り枠体は、枠体の所定形状を保持させると共に鉄筋組立体の重量が直接掛からないように、鉄筋組立体の重量を直接、吊り金具で支持させることで、バタ材等軽量の枠部材が使用でき、よって吊り金具は軽量で簡易な構成の吊り枠体を容易に組立形成できるので、前記従来と比較して資材及び組立作業効率からコスト削減になる。
【手続補正５】
【補正対象書類名】明細書
【補正対象項目名】００１８
【補正方法】変更
【補正の内容】
【００１８】  また、連結吊り金具の吊り金具本体により、枠部材を所定角度で連結保持すると共に軽量で簡易な構成の吊り枠体を形成することから、吊り枠体の重量負荷が小さく、取り扱いが容易で、さらに各深礎杭の直径に合った角度を付けて枠部材を連結することで、各現場の深礎杭の直径に適合させて容易に組立ができるので、前記従来と比較して資材及び組立作業効率からコスト削減になる。
【手続補正６】
【補正対象書類名】明細書
【補正対象項目名】００１９
【補正方法】変更
【補正の内容】
【００１９】  また、第２の解決手段の、前記連結吊り金具の吊り金具本体が、軸体で形成した軸状吊り金具本体とし、該軸状吊り金具本体の上下端部近傍に上記吊り部と、釣支部を各設けると共に該吊り部と釣支部との間の該軸状吊り金具本体を基軸に複数の枠体連結部の一方端側を回動可能に枢着すると共にその他方端側に枠部材を嵌入連結する枠体連結部を設けているので、
吊り枠体を形成するために、六角、八角形などのその各角部に吊り金具本体の上下釣支連結支軸を設け、該上下釣支連結支軸の枠体連結部から水平の周方向に、各深礎杭の直径に合った角度を付けて枠部材を連結すると共に角度調整の重度を増すことで、各現場の深礎杭の直径に、より適合させて容易に組立ができるので、前記従来と比較して資材及び組立作業効率からコスト削減になる。
よって、上述する各構成により本発明は、実用上著大な効果を奏する。
【手続補正７】
【補正対象書類名】明細書
【補正対象項目名】００２１
【補正方法】変更
【補正の内容】
【００２１】  第１の解決手段の、鉄筋組立体を釣支移送する吊り金具であって、該鉄筋組立体を移送治具体を介して釣支する吊り金具に、バタ材等軽量の枠部材を連結して吊り枠体を形成すると共に該吊り金具を介して、吊り枠体及び移送治具体を釣支する該吊り金具において、上記枠部材を該鉄筋組立体の外形に略対応する所定形状の該吊り枠体を、連結保持する枠体連結部を複数、該吊り金具に設けた連結吊り金具で、該連結吊り金具は、上下に板状体を配置する吊り金具本体を有し、該吊り金具本体の上側及び下側の各板状体の略中央から該吊り上げする吊り部と、該下側に移送治具体を垂下状に釣支する釣支部をそれぞれ上下方向に各突設させると共に該上側と下側との間で枠部材を所定角度でボルトなど保持部材により連結保持する止め部をそれぞれ該上下板状体と枠部材の端部に相対して設けると共に該上側と下側との板状体の間を枠体連結部として設け、
また、第２の解決手段の、前記連結吊り金具の吊り金具本体が、軸体で形成した軸状吊り金具本体とし、該軸状吊り金具本体の上下端部近傍に上記吊り部と、釣支部を各設けると共に該吊り部と釣支部との間の該軸状吊り金具本体を基軸に複数の枠体連結部の一方端側を回動可能に枢着すると共にその他方端側に枠部材を嵌入連結する枠体連結部を設けたことにより、
深礎杭の直径に適合させて容易に吊り枠体を組立製作ができる枠体連結部を連結吊り金具に設けると共にその上下に吊り部と釣支部を設けたことで、鉄筋組立体の釣支移送が容易となり、吊り枠体の資材及びその組立作業効率からコスト削減できると共に吊り枠体の重量負荷が小さく、取り扱いが容易となる吊り枠体連結金具兼用連結吊り金具を実現させた。
【手続補正８】
【補正対象書類名】明細書
【補正対象項目名】００２２
【補正方法】変更
【補正の内容】
【００２２】  本発明の実施例を図面に基づいて説明すると、図１の第１実施例において、１は連結吊り金具で、該連結吊り金具１は、図示するように上下を板状体で形成する側面が略コの字状と平面が略コーナ形状に形成された吊り金具本体２で、該コの字状の該上面側の板状体に吊り部３と、底面側の板状体に釣支部４，４をそれぞれ突設している。
【手続補正９】
【補正対象書類名】明細書
【補正対象項目名】００２３
【補正方法】変更
【補正の内容】
【００２３】  また、上記吊り金具本体２の平面略コーナ辺側から該コの字状の左右それぞれの開口側方向に枠部材５，５を連結する枠体連結部６，６を設けると共に該枠体連結部６，６に枠部材５，５を後述するボルト７，７，…で連結保持できるように、挿通するボルト穴８，８，…を図１に示す該上下面の板状体を貫通するように開設している。
【手続補正１０】
【補正対象書類名】明細書
【補正対象項目名】００２５
【補正方法】変更
【補正の内容】
【００２５】  そして、該吊り金具本体２の上記吊り部３は、該吊り金具本体２の上面側の板状体に上方向に突出して設けると共にクレーン等で釣支移送するワイヤーを掛止する環状掛止部３ａを形成し、また該釣支部４，４は、該吊り金具本体２の底面側より垂下するように板状体を並設し、該板状体を釣支部４，４として設けると共に後述する移送治具体を釣支する係止穴４ａ，４ａを図３に示すようにそれぞれ開設している。
【手続補正１１】
【補正対象書類名】明細書
【補正対象項目名】００２７
【補正方法】変更
【補正の内容】
【００２７】  そして、該吊り金具本体２ａは、四角形から八角形など多角形状に形成された吊り枠体の形状に対応できるように、図２で示す内角ａに合わせて、上記開口側方向の左右それぞれの方向に枠部材５，５を連結する枠体連結部６，６を設けると共に該枠体連結部６，６に枠部材５，５を連結保持できるように、図３で示すボルト７，７，…を挿通するボルト穴８，８，…を該上下面の板状体を貫通するように、上記内角ａに合わせて開設している。
【手続補正１２】
【補正対象書類名】明細書
【補正対象項目名】００３０
【補正方法】変更
【補正の内容】
【００３０】  しかして、図５及び図６の第４実施例の連結吊り金具１ｃは、上記吊り金具本体２を支軸体で形成した軸状吊り金具本体２ｃとし、上記第１実施例と同様の、環状掛止部３ａを有する吊り部３を該軸状吊り金具本体２ｃの上部に設けると共に板状体で下向きのコの字状に形成した釣支部４をその下端に図示では螺着して設け、該釣支部４に釣支できる係止穴４ａ，４ａをそれぞれ開設している。
【手続補正１３】
【補正対象書類名】明細書
【補正対象項目名】００３１
【補正方法】変更
【補正の内容】
【００３１】  また、該吊り部３と釣支部４の間の軸状吊り金具本体２ｃを軸支すると共に該軸状吊り金具本体２ｃに枠部材連結体９，９を回動自在に設け、該枠部材連結体９は、一方端側に前記の軸支する枢着部１０と、他方端側に枠体連結部６ａを設け、該枠体連結部６ａは、枠部材５の端面形状に対応させて方形筒又は円筒形状に形成して、上記一般市販材の枠部材５の角バタ材等若しくは丸パイプを嵌入連結する。
【手続補正１４】
【補正対象書類名】明細書
【補正対象項目名】００３３
【補正方法】変更
【補正の内容】
【００３３】  そして、上記枠体連結部６ａ，６ａに枠部材５，５を嵌入連結すると共に所定角度で連結保持された状態で、図６に示すように、双方の枠部材５，５の端部近傍に、棒状又はパイプ状の抜止め角度保持体１１を、連結クランプ１２，１２を介して保持固定させることで、上記第１から３実施例のように、枠部材５，５を連結するときの固定用のボルト穴８，８ａを開設することなく所定角度で保持固定できるので、後述する吊り枠体１３を組立形成するとき、吊り枠体１３に合わせて各枠部材５，５を切断して取り付けるだけで組立できるので加工が容易となる。
なお、該連結クランプ１２は、直交クランプ、自在クランプなどパイプなど連結するときに、多くの建築現場の足場等の連結組立で使用される一般市販品である。
【手続補正１５】
【補正対象書類名】明細書
【補正対象項目名】００３４
【補正方法】変更
【補正の内容】
【００３４】  しかして、第１実施例の連結吊り金具１の枠体連結部６，６に枠部材５，５，…をそれぞれ連結して、図７に示すように八角形状の吊り枠体１３を形成し、そして図８に示すように、連結吊り金具１の下部の釣支部４，４に移送治具体１４を釣支し、また該移送治具体１４は後述する鉄筋組立体１５を係止支持している。
【手続補正１６】
【補正対象書類名】明細書
【補正対象項目名】００４３
【補正方法】変更
【補正の内容】
【００４３】  １、１ａ、１ｂ、１ｃ  連結吊り金具
２、２ａ  吊り金具本体
２ｂ  板状吊り金具本体
２ｃ  軸状吊り金具本体
３  吊り部
４  釣支部
５  枠部材
６、６ａ  枠体連結部
８、８ａ  ボルト穴
９  枠部材連結体
１３  吊り枠体
１４  移送治具体
１５  鉄筋組立体。
【手続補正書】
【提出日】平成26年1月21日(2014.1.21)
【手続補正１】
【補正対象書類名】特許請求の範囲
【補正対象項目名】全文
【補正方法】変更
【補正の内容】
【特許請求の範囲】
【請求項１】
複数の鉄筋を組み合わせて組み立てられる鉄筋組立体を、クレーン等で釣支移送する吊り金具に、バタ材等軽量の枠部材を連結して吊り枠体を形成した連結吊り金具であって、移送治具体を介して鉄筋組立体を形状保持して釣支移送するその連結吊り金具において、
軸体で形成した軸状吊り金具本体の上下両端部に吊り部と、釣支部を設けると共に該吊り部と釣支部との間の軸体に、枠部材を連結する複数の枠部材連結体を設け、該枠部材連結体の一方端側に回動可能に枢着する枢着部を設けると共に他方端側に枠部材を嵌入連結する連結部をそれぞれ設けたことを特徴とする吊り枠体連結金具兼用連結吊り金具。
【手続補正２】
【補正対象書類名】明細書
【補正対象項目名】全文
【補正方法】変更
【補正の内容】
【発明の詳細な説明】
【技術分野】
【０００１】  本発明は、橋梁などの基礎に使用する深礎杭の鉄筋組立体を、深礎杭内に釣支移送するための吊り枠体の連結金具と兼用する連結吊り金具に関する。
【背景技術】
【０００２】  従来、橋梁などを構築する基礎の深礎杭が構築され、該深礎杭は、まず地盤に深礎立坑を掘削した後、該深礎立坑内に所定の鉄筋組立体を一施工法としてブロック単位で移送構築している。【０００３】  その鉄筋組立体のブロック単位での釣支移送に関して、該鉄筋組立体の該ブロック単位は、高重量で深礎杭の規模に合わせて製作されるため現場対応となり、その重量は一例として約４トン程度の鉄筋組立体が組み立てられ、その高重量な鉄筋組立体を釣支移送する従来の吊り枠体としては、高過重対応材料のＨ型鋼材を使用して、該鉄筋組立体と略同径の円形の枠体を形成し、該円形状枠体に該鉄筋組立体を釣支すると共に該円形状枠体を介して直接クレーン等で釣支移送して構築施工している。【０００４】  また、該円形状枠体の製作は、深礎杭の直径に合わせて、該Ｈ鋼を円弧状に湾曲させたものをそれぞれ連結金具で所定数連結させて円形状枠体を形成し、該円形状枠体に設けられたフック等にワイヤー掛けして釣支移送している。【０００５】  しかして、構造物を吊り具で吊り込むための先行技術としては、構造物２に設けられた構造物吊り金具１を介して吊り込むとしたことが記載される「構造物吊り金具」がある。（例えば、特許文献１参照）【０００６】  また、鋼材に吊り下げる先行技術は、ワイヤー２０を介してクレーンフック２２に吊下げ支持された横鋼材１８に一端が固設された吊り金具１６に上鉄筋１２ａ〜１２ｅが個別に着脱可能にそれぞれ係止するとしたことが記載される「鉄筋の鉛直連結方法」がある。（例えば、特許文献２参照）【０００７】  さらに、吊り金具の先行技術は、突き合わせた状態で円柱状の孔を有する一対の保持具１１で、鉄筋３を挟んだ状態で拘束箱２に挿入して、該拘束箱２の吊り手２１に取り付けたワイヤーを介してクレーン等で拘束箱２を吊り上げるとしたことが記載される「鉄筋の吊り金具」がある。（例えば、特許文献３参照）
【先行技術文献】
【特許文献】
【０００８】
【特許文献１】特開平１０−２７３２８４号公報
【特許文献２】特開２００２−００４５８４号公報
【特許文献３】特開２００１−２８８８９７号公報
【発明の概要】
【発明が解決しようとする課題】
【０００９】  しかして、従来の一般的に使用される前記吊り枠体の円形状枠体は、該円形状枠体に直接、鉄筋組立体を釣支するので、前記鉄筋組立体の全荷重が該円形枠体に掛かるためその高荷重に対応する必要があり、よって高荷重対応のＨ型鋼材などを使用しており、またその円形枠体自体も高重量となり取り扱いが煩雑で、さらに各現場規模に対応してその都度、製作する必要からコストなどの課題もあり、コスト削減が可能で、且つ軽量で簡易な構成の吊り枠体で鉄筋組立体の釣支移送が可能なものが求められていた。【００１０】  また、該吊り枠体を形成するＨ型鋼材を円形枠体に形成するには、高度な曲げ技術が必要なため制作費が高価格となり、各現場規模に対応して製作するには、軽量で、簡易な構成とコストなどの課題解決が求められていた。【００１１】  しかして、先行技術で開示される特許文献１の「構造物吊り金具」は、構造物２の底壁２３に周状にループ鉄筋１１を設け、また各吊り鉄筋１２を周壁２１に底壁２３に対して略垂直状にそれぞれ埋設されて形成されているから構造物吊り金具１で直接、吊り上げることかできるが、埋設されず鉄筋のみの構造物では、構造物吊り金具１で直接、吊り上げることかできず、その吊り上げ構造の簡易化の解決が望まれていた。【００１２】  また、上述した特許文献２の「鉄筋の鉛直連結方法」の吊り金具は、横鋼材１８を介して、吊り金具１６により上鉄筋１２ａ〜１２ｅを個別に吊下げ支持していることから、上述した従来のＨ型鋼材を使用する実施例と同様の釣支移送に課題があり、軽量で吊り上げ構造の簡易化によるコスト低減できる吊り金具が求められていた。【００１３】  さらに、上述した特許文献３の「鉄筋の吊り金具」は、鉄筋３単体を吊り上げるもで、鉄筋組立体のように鉄筋を所定形状に組み立てられたものに対応する構成にはなく、そこで上述各先行技術を参照しても、鉄筋組立体の釣支移送を実現するにはコストの低減と、軽量で簡易な構成の釣支移送が可能とはならず、その解決が待たれていた。【００１４】  よって、このような従来の課題であるコスト低減と吊り上げ構造の簡易化を、連結吊り金具により移送治具体を介して直接、鉄筋組立体を釣支すると共に吊り枠体で該鉄筋組立体の形状支持することで、その課題を解決し、軽量で簡易な構成の吊り枠体連結金具兼用連結吊り金具で釣支移送を可能とすることを目的とする。
【課題を解決するための手段】
【００１５】  本発明は、上記課題を有効に達成するために、解決手段として、複数の鉄筋を組み合わせて組み立てられる鉄筋組立体を、クレーン等で釣支移送する吊り金具に、バタ材等軽量の枠部材を連結して吊り枠体を形成した連結吊り金具であって、移送治具体を介して鉄筋組立体を形状保持して釣支移送するその連結吊り金具において、
軸体で形成した軸状吊り金具本体の上下両端部に吊り部と、釣支部を設けると共に該吊り部と釣支部との間の軸体に、枠部材を連結する複数の枠部材連結体を設け、該枠部材連結体の一方端側に回動可能に枢着する枢着部を設けると共に他方端側に枠部材を嵌入連結する連結部をそれぞれ設けることで、
鉄筋組立体をクレーン等で釣支移送する吊り金具に、バタ材等軽量の枠部材を連結して吊り枠体を形成した連結吊り金具の吊り部と、釣支部で、移送治具体を介して鉄筋組立体を釣支することで、該鉄筋組立体の重量を直接、吊り枠体に介すること無く、釣支移送するとしている。
【発明の効果】
【００１６】  本発明は、上述した解決手段によって有効な効果を得るもので、
所定形状の吊り枠体を形成した連結吊り金具が、移送治具体を介して吊り枠体の所定形状を保持させると共に鉄筋組立体の重量が直接掛からないように、鉄筋組立体の重量を直接、連結吊り金具で支持することで、吊り枠体に対する重量負荷を小さくできるからバタ材等軽量の枠部材が使用でき、よって従来と比較して資材及び組立作業効率からコスト削減になる。【００１７】  また、連結吊り金具の軸状吊り金具本体により、枠部材を所定角度で連結保持すると共に軽量で簡易な構成の吊り枠体を形成することから、取り扱いが容易で、さらに各深礎杭の直径に見合った角度を付けて枠部材を連結することで、各現場の深礎杭の直径に適合させて容易に組立ができるので、前記従来と比較して資材及び組立作業効率からコスト削減になる。
よって、上述する各構成により本発明は、実用上著大な効果を奏する。
【図面の簡単な説明】
【００１８】
【図１】  本発明の実施例の正面図である。
【図２】  本発明の実施例の使用状態を示す平面図である。
【図３】  本発明の吊り枠体１０で鉄筋組立体１２を釣支移送する状態を示す平面図である。
【図４】  本発明の連結吊り金具１に移送治具体１１を釣支した状態を示す要部の正面図である。
【図５】  本発明の移送治具体１１に帯筋１４を支持した状態を示す要部の側面図である。
【図６】  本発明の移送状態を示す要部の正面の部分断面図である。
【発明を実施するための形態】
【００１９】連結吊り金具は、軸体で形成した軸状吊り金具本体の上下両端部近傍に吊り部と、釣支部を各設けると共に該吊り部と釣支部との間の軸体に、複数の枠部材連結体の一方端側を回動可能に枢着すると共にその他方端側に枠部材を嵌入連結する枠部材連結体を設けたことにより、
深礎杭の直径に適合させた吊り枠体を容易に組立製作ができる枠体連結部材を連結吊り金具の軸状吊り金具本体に設けると共にその上下両端部に吊り部と釣支部を設けたことで、鉄筋組立体の釣支移送が容易となり、吊り枠体の資材及びその組立作業効率からコスト削減できると共に吊り枠体の重量負荷が小さく、取り扱いが容易となる吊り枠体連結金具兼用連結吊り金具を実現させた。
【実施例】
【００２０】  本発明の実施例を図面に基づいて説明すると、図１の実施例において、１は連結吊り金具で、該連結吊り金具１は、支軸体で形成した軸状吊り金具本体２を有し、該軸状吊り金具本体２の上部に環状掛止部３ａを有する吊り部３を設け、他方、下部には、下向きのコの字状に形成した釣支部４を図示では螺着して設け、該釣支部４に釣支できる係止穴４ａ，４ａをそれぞれ開設している。【００２１】  また、該吊り部３と釣支部４の間の支軸体の軸状吊り金具本体２に、水平方向に枠部材５，５を連結する枠部材連結体６，６を設け、該枠部材連結体６は、一方端側を軸状吊り金具本体２に回動可能に軸支する枢着部７と、他方端側に枠部材５の端部を連結する連結部６ａを設け、該連結部６ａは、枠部材５の端面形状に対応させて方形筒又は円筒形状に形成して、上記枠部材５の一般市販材の角バタ材等若しくは丸パイプを嵌入連結する。【００２２】  なお、枠部材連結体６は、枠部材５に対応させた方形筒又は円筒形状としているが、棒状に変更して枠部材５を該棒状に外嵌するようにしても良いが図示は省略した。【００２３】  そして、枠部材連結体６の連結部６ａ，６ａに枠部材５，５を嵌入連結すると共に所定角度で連結保持された状態で、図２に示すように双方の枠部材５，５の端部近傍に、棒状又はパイプ状の抜止め角度保持体８を、連結クランプ９，９を介して保持固定させることで、枠部材５，５を所定角度で連結して保持固定できるので、後述する吊り枠体１０を組立形成するとき、その吊り枠体１０に合わせて各枠部材５，５を切断して取り付けるだけで組立できるので加工が容易となる。
なお、該連結クランプ９は、直交クランプ、自在クランプなどパイプなど連結するときに、多くの建築現場の足場等の連結組立で使用される一般市販品である。【００２４】  そして、吊り部３は、軸状吊り金具本体２の上部から突出して設けると共にクレーン等で釣支移送するワイヤーを掛止する環状掛止部３ａを形成し、また図１に示す釣支部４，４は、該吊り金具本体２の底面側より垂下するように板状体を並設した下向きのコの字状に形成して設けると共に後述する移送治具体を釣支する係止穴４ａ，４ａをそれぞれ開設している。【００２５】  しかして、実施例の連結吊り金具１の枠部材連結体６，６に枠部材５，５，…をそれぞれ連結して、図３に示すように八角形状の吊り枠体１０を形成し、そして図４に示すように、連結吊り金具１の下部の釣支部４，４に移送治具体１１を釣支し、また該移送治具体１１は後述する鉄筋組立体上１２を係止支持している。【００２６】  そこで、上記した移送治具体１１は、図４及び図５に示すように、縦長の支持本体１３に帯筋１４，１４，…と同位置に支持金具１５，１５，…を回動可能に、図示ではそれぞれ六ヶ所枢着配置し、該支持金具１５は、図５に示すように、支持本体１３の前面側より後方に回動可能に突設させ、且つその突出部分の上部側に凹状の支持受け部１６を形成すると共に水平状態から後方へ反転可能に枢着し、また該支持金具１５に帯筋１４を保持する押さえ保持金具１７を回動可能に枢着している。【００２７】  また、鉄筋組立体１２は、図３に示すように、一例として略円弧状の帯筋１４，１４，…の両端にフック部１４ａ，１４ａ，…を形成したものを所定のラップ長で、該深礎立坑径に対応させた内外二重の環状に連結して形成すると共に上述の帯筋１４，１４，…と略同様、剪断補強筋１８，１８，…の両端にフック部１８ａ，１８ａ，…を形成したものを所定のラップ長で連結して、該環状に連結された外側の帯筋１４，１４，…に、該剪断補強筋１８，１８，…のフック部１８ａ，１８ａ，…を係止すると共に径方向に格子状に配筋して複数段、一例で示す図４では六段、各配置し、結束線等で帯筋１４，１４，…および剪断補強筋１８，１８，…の交点を結束保持して組み立てられ、該鉄筋組立体１５の帯筋１４，１４，…を移送治具体１１の支持金具１５，１５，…で支持させて移送する。【００２８】  しかして、地上で組み立てられた鉄筋組立体１２を、図６に示すようにクレーン１９で釣支移送するとき、フック２０及びワイヤー２１，２１，…を介して連結吊り金具１，１，…を釣支することで、その釣支された移送治具体１１，１１，…を介して鉄筋組立体１２を深礎立坑２２内に釣支移送する。【００２９】  その移送のときの鉄筋組立体１２の重量は、移送治具体１１，１１，…を介して連結吊り金具１，１，…からワイヤー２１，２１，…及びフック２０、そしてクレーン１９に掛かり、鉄筋組立体１２の重量が、直接、吊り枠体１０には掛からないため、簡易で軽量な一般市販品の丸パイプ若しくは角バタ材等が使用可能となり、また、鉄筋組立体１２の重量が直接、吊り枠体１０に作用することなく、吊り枠体１０の所定形状を保持する力が作用する。【００３０】  以上のように、鉄筋組立体１２を地上で組���、移送を繰り返し、深礎立坑２２内に鉄筋組立体１２を積み上げ構築する。【００３１】  なお、本実施例で示す釣支移送用の吊り金具を、深礎杭基礎用の鉄筋組立体１２としているが、他の目的で組み立てられる鉄筋組立体の移送にも使用できるが、図示は省略した。
【産業上の利用可能性】
【００３２】  本発明は、橋梁及び送電線鉄塔などを構築するときの深礎杭基礎用に使用する鉄筋組立体の移送に使用する吊り枠体連結金具と兼用する連結吊り金具に利用することができる。
【符号の説明】
【００３３】１  連結吊り金具
２  軸状吊り金具本体
３  吊り部
４  釣支部
５  枠部材
６  枠部材連結体
６ａ  連結部
７  枢着部
１０  吊り枠体
１１  移送治具体
１２  鉄筋組立体。
【手続補正３】
【補正対象書類名】図面
【補正対象項目名】全図
【補正方法】変更
【補正の内容】
【図１】
2014169181.tif 000013
【図２】
2014169181.tif 000014
【図３】
2014169181.tif 000015
【図４】
2014169181.tif 000016
【図５】
2014169181.tif 000017
【図６】
2014169181.tif 000018